(57)【要約】【課題】高い作業性を保持しつつ、表示装置の強度を高く維持し、かつ、狭額縁化を図るベゼルを提供する。【解決手段】本発明の一態様に係るベゼル（１１）は、表示装置（１）のバックライトシャーシ（１７）の側面に取り付けられるベゼルであって、当該ベゼル（１１）の長手方向を法線方向とする断面がコの字状に形成されている。【選択図】図１
2016004214.tif 000002
【特許請求の範囲】
【請求項１】
表示装置のバックライトシャーシの側面に取り付けられるベゼルであって、
当該ベゼルの長手方向を法線方向とする断面がコの字状に形成されている、
ことを特徴とするベゼル。
【請求項２】
上記バックライトシャーシの側面と嵌合するための嵌合部を備えている、
ことを特徴とする請求項１に記載のベゼル。
【請求項３】
上記嵌合部は、上記バックライトシャーシの側面の備える爪部と嵌合するための嵌合用穴である、
ことを特徴とする請求項２に記載のベゼル。
【請求項４】
上記嵌合部は、上記バックライトシャーシの側面の備える嵌合用穴と嵌合するための爪部である、
ことを特徴とする請求項２に記載のベゼル。
【請求項５】
上記嵌合用穴および上記爪部は、上記ベゼルを上記バックライトシャーシの側面に沿ってスライドさせることにより嵌合する、
ことを特徴とする請求項３又は４に記載のベゼル。
【請求項６】
上記ベゼルは、上記バックライトシャーシの４つの側面の各々に取り付けられる４つのベゼル構成枠材を備え、
上記４つのベゼル構成枠材の各々の長手方向の両端部には、当該４つのベゼル構成枠材の各々を隣り合う他のベゼル構成枠材と共に１箇所で上記バックライトシャーシに固定するための共締用穴が形成されている、
ことを特徴とする請求項１から５の何れか１項に記載のベゼル。
【請求項７】
上記ベゼルは、上記バックライトシャーシの４つの側面の各々に取り付けられる４つのベゼル構成枠材を備え、
上記４つのベゼル構成枠材のうち、３つのベゼル構成枠材について、上記断面がコの字状に形成されている、
ことを特徴とする請求項１から６の何れか１項に記載のベゼル。
【請求項８】
請求項１から７の何れか１項に記載のベゼルと、バックライトシャーシと、を備える表示装置であって、
上記バックライトシャーシは、上記表示装置の表示面に平行に設けられる直下型バックライトを支持する、
ことを特徴とする表示装置。
【請求項９】
上記バックライトシャーシは、
上記表示装置の表示面に平行な主面であって上記表示面の背面側に設けられる主面と、
上記主面の周囲に当該主面に平行に設けられる枠面であって上記主面よりも上記表示面側に設けられる枠面と、
上記主面と上記枠面とを繋ぐように設けられる法面であって上記主面の法線方向に対して傾斜した法面と、を備えており、
上記側面は、上記主面に対して垂直な面であって上記枠面の端部から上記主面と反対側に伸びるように設けられた面であり、
上記ベゼルは、上記側面及び上記枠面を覆うように上記側面に取り付けられる、
ことを特徴とする請求項８に記載の表示装置。
【請求項１０】
請求項８又は９に記載の表示装置を備えている、
ことを特徴とするテレビジョン受像機。
【発明の詳細な説明】
【技術分野】
【０００１】
本発明は、バックライトシャーシに取り付けられるベゼル、そのようなベゼルを備える表示装置、及び、テレビジョン受像機に関する。
【背景技術】
【０００２】
近年、テレビジョン受像機などの表示装置において、額縁領域を狭めて広い表示領域を確保するため、狭額縁化の要請が高まってきている。
【０００３】
また、近年、表示装置において、ベゼルを取り付ける際の作業性の向上が求められてきており、例えば、引用文献１には、ビスを用いずにベゼルを取り付けることのできるベゼル取り付け構造が開示されている。
【先行技術文献】
【特許文献】
【０００４】
【特許文献１】特開２０１１−１３３５４６号公報（２０１１年７月７日公開）
【発明の概要】
【発明が解決しようとする課題】
【０００５】
しかしながら、特許文献１に記載の表示装置のように、ベゼルがＬ字型に形成されている表示装置では、表示装置の狭額縁化と強度とはトレードオフの関係にある。具体的には、表示装置の狭額縁化を図るためにはベゼルの面積を狭める必要があるため表示装置の強度が低くなり、表示装置の強度を高くするにはベゼルの面積を広げる必要があるため額縁面積が拡大してしまう。このように、従来の技術では、表示装置の強度を高く維持しつつ狭額縁化を図ることができないという問題があった。
【０００６】
本発明は上記の課題を解決するためになされたものであり、その主たる目的は、表示装置の強度を高く維持しつつ、狭額縁化を図ることのできるベゼルを提供することにある。
【０００７】
本発明は上記の課題を解決するためになされたものであり、その主たる目的は、高い作業性を保持しつつ、表示装置の強度を高く維持し、かつ、狭額縁化を図ることのできるベゼルを提供することにある。
【課題を解決するための手段】
【０００８】
上記の課題を解決するために、本発明の一態様に係るベゼルは、表示装置のバックライトシャーシの側面に取り付けられるベゼルであって、当該ベゼルの長手方向を法線方向とする断面がコの字状に形成されている、ことを特徴としている。
【発明の効果】
【０００９】
本発明の一態様によれば、上記ベゼルは、高い作業性を保持しつつ、表示装置の強度を高く維持し、かつ、狭額縁化を図ることができるという効果を奏する。
【図面の簡単な説明】
【００１０】
【図１】本発明の一実施形態に係るベゼル及びバックライトシャーシの構成の概要を示す分解図である。
【図２】本発明の一実施形態に係る表示装置を正面側から見た分解斜視図である。
【図３】本発明の一実施形態に係る表示装置を背面側から見た分解斜視図である。
【図４】本発明の一実施形態に係るバックライトシャーシを正面からみた外観図である。
【図５】本発明の一実施形態に係るバックライトシャーシの構成を示す部分拡大図である。
【図６】本発明の一実施形態に係る上側面ベゼルの構成を示す斜視図である。
【図７】本発明の一実施形態に係る右側面ベゼルの構成を示す斜視図である。
【図８】本発明の一実施形態に係る下側面ベゼルの構成を示す外観図である。
【図９】本発明の一実施形態に係る上側面ベゼルをバックライトシャーシに取り付ける際の状態遷移図である。
【図１０】本発明の一実施形態に係る表示装置の正置状態における水平方向を法線方向とする断面図である。
【図１１】本発明の一実施形態に係る右側面ベゼルをバックライトシャーシに取り付ける際の状態遷移図である。
【図１２】本発明の一実施形態に係る下側面ベゼルをバックライトシャーシに取り付ける際の状態遷移図である。
【図１３】本発明の一実施形態に係る下側面ベゼルをバックライトシャーシに取り付けた際の斜視図である。
【発明を実施するための形態】
【００１１】
＜実施形態１＞
以下、本発明の実施の形態について、詳細に説明する。ただし、以下の実施形態に記載されている構成は、特に特定的な記載がない限り、この発明の範囲をそれのみに限定する趣旨ではなく、単なる説明例に過ぎない。
【００１２】
なお、本実施形態に係る表示装置１は、テレビジョン受像機などによって実現することができるが、特に限定されるものではなく、例えば、カーナビゲーションシステム、ディスプレイ装置、携帯電話、及び、スマートフォンなどであってもよい。
【００１３】
〔表示装置の構成の概要〕
まず、本実施形態に係る表示装置１の構成について、図２及び図３を参照して説明する。図２は、本実施形態に係る表示装置１を正面側から見た分解斜視図である。また、図３は、本実施形態に係る表示装置１を背面側から見た分解斜視図である。
【００１４】
図２及び図３に示すように、表示装置１は、フロントキャビネット１０、ベゼル１１、液晶パネル１２、シート保持枠１３、光学シート群１４、反射シート１５、ＬＥＤ基板１６、バックライトシャーシ１７、スピーカ１８、バックキャビネット２０、及び、メイン回路基板２１を備えている。
【００１５】
なお、本実施形態にかかる表示装置１では、図２及び図３に示すように、液晶パネル１２、光学シート群１４及び反射シート１５の背面にＬＥＤ基板１６及びＬＥＤ素子１６０が配置されることによって、直下型バックライトが構成されている。
【００１６】
以下、表示装置１の備える各部材の概要について説明する。なお、表示装置１においてフロントキャビネット１０が存在する側を正面とも称し、その反対側（バックキャビネット２０が存在する側）を背面とも称する。
【００１７】
（フロントキャビネット、バックキャビネット）
フロントキャビネット１０は、主に、表示装置１の外枠を正面側から覆う筐体である。また、バックキャビネット２０は、主に、表示装置１を背面側から覆う筐体である。
【００１８】
フロントキャビネット１０とバックキャビネット２０との間には、フロントキャビネット１０側から順に、ベゼル１１、液晶パネル１２、シート保持枠１３、光学シート群１４、反射シート１５、ＬＥＤ基板１６、バックライトシャーシ１７、及び、メイン回路基板２１が重ねられて格納されている。
【００１９】
（ベゼル、液晶パネル、シート保持枠）
ベゼル１１は、液晶パネル１２の映像表示面側から液晶パネル１２の周囲を覆うように配置され、シート保持枠１３と共に液晶パネル１２を把持することにより、バックライトシャーシ１７に対する液晶パネル１２の法線方向の位置を規定する。また、ベゼル１１を設けることにより、表示装置１の強度を保つことができ、静電対策にも有効である。なお、ベゼル１１の構成の詳細については、図面を変えて後述する。
【００２０】
シート保持枠１３は、液晶パネル１２を支持する部材であって、上述のようにベゼル１１と共に液晶パネル１２を把持する。また、シート保持枠１３は、後述する光学シート群１４の周囲から光が漏れることを防ぐ遮光部材である。シート保持枠１３は、バックライトシャーシ１７と共に光学シート群１４を把持することにより、バックライトシャーシ１７に対する光学シート群１４の法線方向の位置を規定する。
【００２１】
（光学シート群、反射シート）
光学シート群１４は、後述するＬＥＤ基板１６に備えられているＬＥＤ素子１６０から出射される光の光量のムラ（すなわち輝度ムラ）を抑制するとともに、ＬＥＤ素子１６０から出射される光を調光して液晶パネル１２に向けて出射する機能を有している。
【００２２】
光学シート群１４は、例えば、拡散シート、プリズムシート、マイクロレンズシート、及び、拡散シートなどを含んで構成されている。なお、光学シート群１４を構成する各シートの枚数及び組み合わせは、所望の光学性能が得られるような枚数及び組み合わせであれば、特に限定されるものではない。
【００２３】
反射シート１５は、ＬＥＤ素子１６０から出射される光を反射する。反射シート１５には、ＬＥＤ素子挿入孔１５１が形成されており、反射シート１５の背面側に設けられるＬＥＤ基板１６の備えるＬＥＤ素子１６０がＬＥＤ素子挿入孔１５１に挿入される。これにより、反射シート１５は、ＬＥＤ基板１６とＬＥＤ素子１６０との間に位置することになる。
【００２４】
反射シート１５は、ＬＥＤ基板１６及びバックキャビネット２０などに吸収されていた、ＬＥＤ素子１６０から出射される光を反射して有効に利用できるため、光学シート群１４に向けて出射される光量を増やすことができる。これによって、反射シート１５は、液晶パネル１２の輝度を向上させる事が出来る。
【００２５】
なお、反射シート１５は、入射した光が正反射するシートであってもよいが、乱反射するシートを用いることがより好ましい。反射シート１５として入射した光が乱反射するシートを用いることによって、反射シート１５は、入射角と異なる角度の反射成分を含んで光を反射させることができる。
【００２６】
（ＬＥＤ基板、バックライトシャーシ、メイン回路基板）
ＬＥＤ基板１６は、液晶パネル１２側にＬＥＤ素子１６０が配置された基板であり、バックライトシャーシ１７に固定される。
【００２７】
ＬＥＤ基板１６は短冊形の形状を有しており、その長手方向に沿って複数のＬＥＤ素子１６０が並んで配置されている。このようにＬＥＤ基板１６を構成することにより、複数のＬＥＤ素子１６０を簡易に表示装置１内に配置することができる。
【００２８】
また、ＬＥＤ基板１６には、ＬＥＤ素子１６０に電流を供給する回路（不図示）が設けられており、バックライトシャーシ１７の背面に配置されるメイン回路基板２１上に設けられている回路（不図示）と電気的に接続されている。
【００２９】
ＬＥＤ基板１６の長手方向の一方の端部には、メイン回路基板２１に電気的に接続するためのコネクタ１６１が設けられており、また、ＬＥＤ基板１６には、コネクタ１６１と各ＬＥＤ素子１６０とを電気的に接続する回路（不図示）が設けられている。
【００３０】
バックライトシャーシ１７の背面に配置されるメイン回路基板２１は、ＬＥＤ基板１６設けられている回路とコネクタ１６１を介して電気的に接続されている。
【００３１】
なお、本実施形態では、ＬＥＤ基板１６の長手方向が、表示装置１の長手方向に平行に配置される構成を例に説明しているが、本発明はこれに限定されるものではなく、例えば、ＬＥＤ基板１６の長手方向が、表示装置１の短手方向に平行になるように配置してもよい。
【００３２】
バックライトシャーシ１７は、ＬＥＤ基板１６を保持するシャーシである。また、バックライトシャーシ１７には、ベゼル１１及びシート保持枠１３により、液晶パネル１２、光学シート群１４、及び、反射シート１５が保持される。
【００３３】
（スピーカ）
スピーカ１８は、表示装置１において再生（表示）されるコンテンツの音声を出力する。スピーカ１８は、バックライトシャーシ１７の背面下部とバックキャビネット２０の正面下部との間に、スピーカ支柱１９を用いて固定される。
【００３４】
〔ベゼル、バックライトシャーシ〕
本実施形態に係るベゼル１１及びバックライトシャーシ１７について、図１及び図４から図１２を参照して以下に説明する。まず、本実施形態に係るベゼル１１及びバックライトシャーシ１７について、図１を参照して説明する、図１は、本実施形態に係るベゼル１１及びバックライトシャーシ１７の構成の概要を示す分解図である。
【００３５】
図１に示すように、ベゼル１１は、バックライトシャーシ１７の４つの側面の各々に取り付けられる４つのベゼル構成枠材を備えている。具体的には、ベゼル１１は、上側面ベゼル１１１、右側面ベゼル１１２、左側面ベゼル１１３、及び下側面ベゼル１１４の４つのベゼル構成枠材を含んで構成されている。また、上側面ベゼル１１１、右側面ベゼル１１２、左側面ベゼル１１３、及び下側面ベゼル１１４は、それぞれバックライトシャーシ１７の上側面、右側面、左側面および下側面を覆うように配置される。ここで、バックライトシャーシ１７を正面側からみて上側（表示装置１の設置面と反対側）のバックライトシャーシ１７の側面を上側面、右側の側面を右側面、左側の側面を左側面、下側（表示装置１の設置面側）の側面を下側面と呼称する。
【００３６】
また、図１に示すように、本実施形態に係る上側面ベゼル１１１、右側面ベゼル１１２、左側面ベゼル１１３、及び下側面ベゼル１１４は、４つのビス１１５のみによりバックライトシャーシ１７に固定される。
【００３７】
（バックライトシャーシの構成）
次に、バックライトシャーシ１７の構成について、図４及び図５を参照して説明する。図４は、本実施形態に係るバックライトシャーシ１７を正面からみた外観図である。また、図５は、本実施形態に係るバックライトシャーシ１７の備える上側面爪部１７２（爪部）、右側面爪部１７３（爪部）及び左側面爪部１７４（爪部）の構成を示す部分拡大図である。図５（ａ）は、上側面爪部１７２の部分拡大図であり、（ｂ）は、右側面爪部１７３の部分拡大図であり、（ｃ）は、左側面爪部１７４の部分拡大図であり、（ｄ）は、図４に示すバックライトシャーシ１７のＡ−Ａ’断面図である。
【００３８】
なお、図４は、直下型バックライトを構成するＬＥＤ基板１６の取り付けられた（直下型バックライトを支持している）バックライトシャーシ１７の一例を示しているが、以降では、説明の簡単化のため、バックライトシャーシ１７について説明する。
【００３９】
図４に示すように、バックライトシャーシ１７は、上側面に上側面ベゼル１１１と嵌合するための上側面爪部１７２が形成され、右側面に右側面ベゼル１１２と嵌合するための右側面爪部１７３が形成され、更に、左側面に左側面ベゼル１１３と嵌合するための左側面爪部１７４が形成されている。また、上側面爪部１７２、右側面爪部１７３及び左側面爪部１７４のそれぞれは、図５に示すように、各面に複数形成されられている。
【００４０】
上側面爪部１７２は、バックライトシャーシ１７の上側面に、当該上側面に沿った方向に設けられており、上側面爪部１７２の左面側がバックライトシャーシ１７に固定されるようバックライトシャーシ１７と一体に形成されており、右面側に間隙を有している。
【００４１】
また、右側面爪部１７３は、バックライトシャーシ１７の右側面に、当該右側面に沿った方向に設けられ、左側面爪部１７４は、バックライトシャーシ１７の左側面に、当該左側面に沿った方向に設けられている。右側面爪部１７３及び左側面爪部１７４は、下面側がバックライトシャーシ１７に固定されるようバックライトシャーシ１７と一体に形成されており、上側面側に間隙を有している。
【００４２】
また、バックライトシャーシ１７は、図５（ｄ）に示すように、主面１７０１、法面１７０２、枠支持面１７０３（枠面）、及び、側面１７０４を備えている。
【００４３】
主面１７０１は、液晶パネル１２に平行な面であって、液晶パネル１２の表示面の背面側に設けられる面である。バックライトシャーシ１７は、主面１７０１により、ＬＥＤ基板１６を保持する。枠支持面１７０３は、主面１７０１の周囲に当該主面１７０１に平行に設けられており、また、主面１７０１よりも液晶パネル１２側に設けられている。枠支持面１７０３は、反射シート１５、光学シート群１４、シート保持枠１３及び液晶パネル１２を支持し、これらについて主面１７０１の法線方向に対する位置を規定している。法面１７０２は、主面１７０１と枠支持面１７０３とを繋ぐように設けられ、また、主面１７０１の法線方向に対して傾斜するように設けられている。
【００４４】
また、側面１７０４は、主面１７０１に対して垂直に、枠支持面１７０３の端部であって法面１７０２の設けられている端部と反対側の端部から主面１７０１と反対側に伸びるように設けられている。つまり、上述の上側面とは、側面１７０４のうち、バックライトシャーシ１７を正面側からみて設置面と反対側の側面１７０４を指し、右側面とは右側の側面１７０４を指し、左側面とは左側の側面１７０４を指し、下側面とは設置面側の側面１７０４を指す。側面１７０４は、反射シート１５、光学シート群１４、シート保持枠１３及び液晶パネル１２の、主面１７０１と並行な方向に対する位置を規定している。
【００４５】
なお、本実施形態では、側面１７０４、及び、枠支持面１７０３の短手方向の長さは１ｃｍ以下（例えば、７ｍｍなど）であるが、特に限定されるものではない。また、本明細書において、「垂直」及び「平行」には、厳密に垂直又は平行でなくとも、実質的に垂直又は平行なものも含まれる。
【００４６】
〔ベゼルの構成〕
次に、ベゼル１１の構成について説明する。ベゼル１１は、ベゼル１１の長手方向を法線方向とする断面（以降、単に、ベゼル１１の断面とも記載する）がコの字状に形成されている。本実施形態では、ベゼル１１を構成する４つのベゼル構成枠材のうち、特に上側面ベゼル１１１、右側面ベゼル１１２及び左側面ベゼル１１３の断面がコの字状に形成されている場合を例に挙げて説明する。また、本実施形態では、ベゼル１１の断面の各辺の長さ（つまり、コの字状の各辺の長さ）は、１ｃｍ以下（例えば、８ｍｍ）であることが好ましいが、特に限定されるものではない。
【００４７】
なお、ベゼル１１を構成する４つのベゼル構成枠材（上側面ベゼル１１１〜下側面ベゼル１１４）が全て、断面がコの字状に形成されてもよいが、これに限定されるものではない。例えば、下側面ベゼル１１４の断面がＬ字状に形成されている（換言すれば、表示装置１が設置される設置面側の側面（下側面）に取り付けられる下側面ベゼル１１４以外のベゼル構成枠材について断面がコの字状に形成されている）構成を採用することもできる。
【００４８】
（上側面ベゼル）
まず、上側面ベゼル１１１の構成について、図６を参照して説明する。図６は、本実施形態に係る上側面ベゼル１１１の構成を示す斜視図である。図６（ａ）は上側面ベゼル１１１全体の斜視図であり、（ｂ）は、上側面ベゼル１１１の一部分の斜視図である。
【００４９】
上側面ベゼル１１１は、図６に示すように、上側面ベゼル１１１の長手方向を法線方向とする断面がコの字状に形成されている。また、上側面ベゼル１１１には、嵌合穴１１１１（嵌合部、嵌合用穴）、及び、共締用穴１１１２が形成されている。
【００５０】
嵌合穴１１１１は、バックライトシャーシ１７の上側面爪部１７２に形成されている上側面爪部１７２と嵌合するための穴であり、図６（ａ）に示すように、上側面ベゼル１１１に複数形成されている。複数の嵌合穴１１１１は、それぞれ、バックライトシャーシ１７の上側面に形成されている複数の上側面爪部１７２の各々と対応する位置に形成されている。
【００５１】
共締用穴１１１２は、上側面ベゼル１１１の長手方向の両端部に形成されており、当該上側面ベゼル１１１を隣り合う他のベゼル（右側面ベゼル１１２、及び、左側面ベゼル１１３）と共に１点（１箇所）でバックライトシャーシ１７に固定するために用いられる。上側面ベゼル１１１の長手方向の両端部のうちバックライトシャーシ１７の右側面側に形成される共締用穴１１１２は、右側面ベゼル１１２と共に１箇所でバックライトシャーシ１７に固定するために用いられる。また、上側面ベゼル１１１の長手方向の両端部のうちバックライトシャーシ１７の左側面側の一端に形成される共締用穴１１１２は、左側面ベゼル１１３と共に１箇所でバックライトシャーシ１７に固定するために用いられる。
【００５２】
（右側面ベゼル、左側面ベゼル）
次に、右側面ベゼル１１２の構成について、図７を参照して説明する。図７は、本実施形態に係る右側面ベゼル１１２の構成を示す斜視図である。図７（ａ）は、右側面ベゼル１１２の全体を上側面側からみた斜視図であり、（ｂ）は、右側面ベゼル１１２の一部を上側面側からみた斜視図であり、（ｃ）は、右側面ベゼル１１２の全体を下側面側からみた斜視図である。
【００５３】
右側面ベゼル１１２は、図７に示すように、右側面ベゼル１１２の長手方向を法線方向とする断面がコの字状に形成されている。また、右側面ベゼル１１２は、嵌合穴１１２１（嵌合部、嵌合用穴）、共締用穴１１２２、及び、共締用穴１１２３が形成されている。
【００５４】
嵌合穴１１２１は、バックライトシャーシ１７の右側面爪部１７３に形成されている上側面爪部１７２と嵌合するための穴であり、図６（ａ）に示すように、右側面ベゼル１１２に複数形成されている。複数の嵌合穴１１２１は、それぞれ、バックライトシャーシ１７の右側面に形成されている複数の右側面爪部１７３の各々と対応する位置に形成されている。
【００５５】
共締用穴１１２２及び１１２３は、右側面ベゼル１１２の長手方向の各端部に形成されており、当該右側面ベゼル１１２を隣り合う他のベゼルと共に１箇所でバックライトシャーシ１７に固定するために用いられる。右側面ベゼル１１２の長手方向の両端部のうちバックライトシャーシ１７の上側面側に形成される共締用穴１１２２は、上側面ベゼル１１１と共に１箇所でバックライトシャーシ１７に固定するために用いられる。また、右側面ベゼル１１２の長手方向の両端部のうちバックライトシャーシ１７の下側面側に形成される共締用穴１１２３は、下側面ベゼル１１４と共に１箇所でバックライトシャーシ１７に固定するために用いられる。
【００５６】
なお、左側面ベゼル１１３は、右側面ベゼル１１２と対称に形成されていればよく、ここではその詳細な説明は省略する。
【００５７】
（下側面ベゼル）
次に、下側面ベゼル１１４の構成について、図８を参照して説明する。図８は、本実施形態に係る下側面ベゼル１１４の構成を示す外観図である。図８（ａ）は、下側面ベゼル１１４を正面側から見た斜視図であり、（ｂ）は、下側面ベゼルを背面側からみた斜視図であり、（ｃ）は下側面ベゼル１１４の側面図である。
【００５８】
下側面ベゼル１１４は、図８に示すように、長手方向を法線方向とする断面がＬ字状に形成されている。また、下側面ベゼル１１４の長手方向の両端には、当該下側面ベゼル１１４を隣り合う他のベゼル（右側面ベゼル１１２、及び、左側面ベゼル１１３）と共に１箇所でバックライトシャーシ１７に固定するための共締用穴１１４１が形成されている。
【００５９】
下側面ベゼル１１４の長手方向の両端部のうちバックライトシャーシ１７の右側面側に形成される共締用穴１１４１は、右側面ベゼル１１２と共に１箇所でバックライトシャーシ１７に固定するために用いられる。また、下側面ベゼル１１４の長手方向の両端部のうちバックライトシャーシ１７の左側面側の一端に形成される共締用穴１１４１は、左側面ベゼル１１３と共に１箇所でバックライトシャーシ１７に固定するために用いられる。
【００６０】
〔バックライトシャーシに対するベゼルの取り付け〕
次に、バックライトシャーシ１７（より具体的には、バックライトシャーシの側面１７０４）に対してベゼル１１を取り付ける際の取り付け方法について説明する。
【００６１】
（上側面ベゼルの取り付け）
まず、上側面ベゼル１１１の取り付けについて、図９及び図１０を参照して説明する。図９は、本実施形態に係る上側面ベゼル１１１をバックライトシャーシ１７に取り付ける際の状態遷移図である。図９（ａ）は、上側面ベゼル１１１を取り付ける前の状態を示し、（ｂ）は、上側面ベゼル１１１を取り付ける途中の状態を示し、（ｃ）は、上側面ベゼル１１１の取り付けた後の状態を示している。なお、図９に示すように、バックライトシャーシ１７の長手方向に沿った方向をＸ軸方向（右側面側を正）とし、また、短手方向に沿った方向をＹ軸方向（上側面側を正）として説明する。また、図１０は、本実施形態に係る表示装置１の正置状態における水平方向を法線方向とする断面を示す断面図である。
【００６２】
図９（ａ）及び図１０に示すように、上側面ベゼル１１１を取り付ける際には、バックライトシャーシ１７には、反射シート１５（図９、図１０には不図示）、並びに、液晶パネル１２、シート保持枠１３、光学シート群１４、及び、ＬＥＤ素子１６０の配置されたＬＥＤ基板１６が予め配置されており、これらはバックライトシャーシ１７の枠支持面１７０３（図９、図１０には不図示）により支持されている。
【００６３】
上側面ベゼル１１１の取り付けに際し、まず、上側面ベゼル１１１に形成されている嵌合穴１１１１とバックライトシャーシ１７の側面１７０４（上側面）に形成されている上側面爪部１７２との位置を合わせ、図９（ｂ）に示すように、嵌合穴１１１１と上側面爪部１７２とが重なるように上側面ベゼル１１１をバックライトシャーシ１７の上側面に配置する。
【００６４】
そして、上側面ベゼル１１１をＸ軸負方向にスライドさせることにより、図９（ｃ）に示すように、嵌合穴１１１１と上側面爪部１７２とが嵌合し、上側面ベゼル１１１は、上側面爪部１７２によりＹ軸負方向に付勢される。これによって、上側面ベゼル１１１は、バックライトシャーシ１７の側面１７０４及び枠支持面１７０３を覆うように、バックライトシャーシ１７の側面１７０４に取り付けられる。
【００６５】
上述の構成によれば、バックライトシャーシ１７に取り付けられる上側面ベゼル１１１が断面がコの字状に形成されているため、バックライトシャーシ１７を備える表示装置１の強度を高くすることができる。また、上側面ベゼル１１１は、コの字状に形成されていることによって強度を保つことができるため、その断面の各辺（つまり、コの字状の各辺）長さを短くすることができ、表示装置１の狭額縁化を図ることができる。したがって、上側面ベゼル１１１は、表示装置１の強度を高く維持しつつ、狭額縁化を図ることができる。
【００６６】
なお、上側面ベゼル１１１の断面がコの字状に形成されていることにより、バックライトシャーシ１７に取り付けられる際に上側面ベゼル１１１とバックライトシャーシ１７との接する面が大きくなる。これにより、上側面ベゼル１１１は、表示装置１における静電対策にも有効である。また、上側面ベゼル１１１の断面をコの字状に形成することにより、上記バックライトシャーシに対して簡単に（例えば、上述のようにスライドさせて）取り付けることができる。これにより、上側面ベゼル１１１は、作業者がバックライトシャーシ１７に対して当該上側面ベゼル１１１を取り付ける際の作業効率を向上させることもできる。
【００６７】
また、上記の構成によれば、ベゼル１１（上側面ベゼル１１１）に形成された嵌合穴１１１１をバックライトシャーシ１７の側面１７０４に形成された爪部（上側面爪部１７２）に嵌合させることにより、ベゼル１１を容易にバックライトシャーシ１７に取り付けることができる。
（右側面ベゼル、左側面ベゼルの取り付け）
次に、右側面ベゼル１１２の取り付けについて、図９及び図１１を参照して説明する。図１１は、本実施形態に係る右側面ベゼル１１２をバックライトシャーシ１７に取り付ける際の状態遷移図である。図１１（ａ）は、右側面ベゼル１１２を取り付ける途中の状態を示し、（ｂ）は、右側面ベゼル１１２を取り付けた後の状態を示し、（ｃ）は、上側面ベゼル１１１及び右側面ベゼル１１２をビス１１５によりバックライトシャーシ１７に固定した状態を示している。
【００６８】
まず、右側面ベゼル１１２に形成されている嵌合穴１１２１とバックライトシャーシ１７に形成されている右側面爪部１７３との位置を合わせ、図１１（ａ）に示すように、嵌合穴１１２１と右側面爪部１７３とが重なるように右側面ベゼル１１２をバックライトシャーシ１７の右側面に配置する。
【００６９】
そして、右側面ベゼル１１２をＹ軸負方向にスライドさせることにより、図１１（ｂ）に示すように、嵌合穴１１２１と右側面爪部１７３とが嵌合し、右側面ベゼル１１２は、右側面爪部１７３によりＸ軸負方向に付勢される。これによって、右側面ベゼル１１２は、バックライトシャーシ１７の側面１７０４及び枠支持面１７０３を覆うように、バックライトシャーシ１７の側面１７０４に取り付けられる。
【００７０】
ここで、上側面ベゼル１１１と右側面ベゼル１１２とは、図１１（ｂ）に示すように、共締用穴１１１２と共締用穴１１２２とが重なるようにバックライトシャーシ１７に取り付けられている。本実施形態では、さらに、図１１（ｃ）に示すように、共締用穴１１１２及び共締用穴１１２２にビス１１５を挿入して上側面ベゼル１１１と右側面ベゼル１１２とを共締めすることにより、上側面ベゼル１１１及び右側面ベゼル１１２をバックライトシャーシ１７に対して固定する。
【００７１】
上述の構成によれば、右側面ベゼル１１２は、上側面ベゼル１１１と同様に、表示装置１の強度を高く維持しつつ、狭額縁化を図ることができる。また、右側面ベゼル１１２は、表示装置１における静電対策にも有効であり、作業者がバックライトシャーシ１７に対して当該右側面ベゼル１１２を取り付ける際の作業効率を向上させることもできる。
【００７２】
なお、左側面ベゼル１１３のバックライトシャーシ１７に対する取り付けは、右側面ベゼル１１２と同様に行えばよいため、説明を省略する。
【００７３】
（下側面ベゼルの取り付け）
次に、下側面ベゼル１１４の取り付けについて、図１２及び図１３を参照して説明する。図１２は、本実施形態に係る下側面ベゼル１１４をバックライトシャーシ１７に取り付ける際の状態遷移図である。図１２（ａ）は、下側面ベゼル１１４を取り付ける前の状態を示し、（ｂ）は、下側面ベゼル１１４を取り付けた後の状態を示している。また、図１３は、本実施形態に係る下側面ベゼル１１４をバックライトシャーシ１７に取り付けた際の斜視図である。
【００７４】
まず、図１２（ａ）に示すように、下側面ベゼル１１４とバックライトシャーシ１７の下側面との位置を合わせる。そして、図１２（ｂ）に示すように、下側面ベゼル１１４をバックライトシャーシ１７の下側面の下方からバックライトシャーシ１７に嵌め込む（Ｙ軸正方向に嵌め込む）。
【００７５】
また、右側面ベゼル１１２及び下側面ベゼル１１４は、図１２（ｂ）に示すように、右側面ベゼル１１２に形成されている共締用穴１１２３と下側面ベゼル１１４に形成されている共締用穴１１４１とが重なるようにバックライトシャーシ１７に取り付けられる。本実施形態では、さらに、共締用穴１１２３及び共締用穴１１４１にビス１１５を挿入して右側面ベゼル１１２と下側面ベゼル１１４とを共締めすることにより、右側面ベゼル１１２及び下側面ベゼル１１４をバックライトシャーシ１７に対して固定する。
【００７６】
なお、本実施形態に係る表示装置１では、図１３に示すように、液晶パネル１２を駆動させるためのソース基板１２１を下側面ベゼル１１４に設けているため、当該下側面ベゼル１１４をＬ字状に形成している。換言すれば、本実施形態では、ソース基板１２１が設けられる１つのベゼル構成枠材（下側面ベゼル１１４）の断面がＬ字状に形成され、他の３つのベゼル構成枠材（上側面ベゼル１１１〜左側面ベゼル１１３）の断面がコの字状に形成されている。
【００７７】
また、上側面ベゼル１１１〜下側面ベゼル１１４の４つのベゼル構成枠材の全てを、スライドによりバックライトシャーシ１７に取り付ける構成とすると、取り付けの際にベゼルどうしが干渉し、作業性が低下してしまうことも考えられる。このことから、高い作業性を維持するためには、４つのベゼル構成枠材のうち１つのベゼル構成枠材をスライドによらずにバックライトシャーシに取り付けられる構成（例えば、Ｌ字状に形成）することも有効である。
【００７８】
したがって、４つのベゼル構成枠材（上側面ベゼル１１１〜下側面ベゼル１１４）のうち３つのベゼル構成枠材の断面をコの字型に形成することにより、高い作業性を維持しつつ、表示装置１の強度を高く維持し、かつ、効果的に狭額縁化を図ることができる。
【００７９】
＜実施形態２＞
実施形態１では、バックライトシャーシ１７の側面１７０４に爪部（上側面爪部１７２、右側面爪部１７３、及び、左側面爪部１７４）が形成され、ベゼル１１に爪と嵌合するための嵌合穴（上側面ベゼル１１１の嵌合穴１１１１、右側面ベゼル１１２の嵌合穴１１２１、及び、左側面ベゼル１１３の嵌合穴１１３１）が形成されている場合を例に挙げて説明したが、本発明はこれに限定されるものではない。
【００８０】
例えば、バックライトシャーシ１７の側面１７０４に嵌合穴が形成され、ベゼル１１に爪部が形成されている構成を採用することもできる。
【００８１】
この構成によれば、ベゼル１１に形成された爪部をバックライトシャーシ１７の側面１７０４に形成された嵌合用穴に嵌合させることにより、ベゼル１１を容易にバックライトシャーシ１７に取り付けることができる。
【００８２】
＜実施形態３＞
実施形態１では、液晶パネル１２を駆動させるためのソース基板を下側面ベゼル１１４に設けるため、下側面ベゼル１１４をＬ字状に形成する構成を例に説明したが、本発明はこれに限定されるものではない。
【００８３】
例えば、ソース基板を上側面ベゼル１１１に設ける場合には、上側面ベゼル１１１をＬ字状に形成してもよいし、右側面ベゼル１１２又は左側面ベゼル１１３をＬ字状に形成してもよい。
【００８４】
これらの場合であっても、４つのベゼル構成枠材のうち３つのベゼル構成枠材の断面をコの字型に形成することができるため、実施形態１と同様に、高い作業性を維持しつつ、表示装置１の強度を高く維持し、かつ、効果的に狭額縁化を図ることができる。
【００８５】
＜実施形態４＞
また、実施形態１では、表示装置１がバックライトとして直下型バックライトを備える構成を例に挙げて説明したが、本発明はこれに限定されるものではない。
【００８６】
例えば、バックライトは、エッジ型バックライトを構成していてもよい。この場合には、ＬＥＤ基板は、例えば、ＬＥＤ素子が液晶パネル１２の表示面に平行な方向を向くように表示装置１の側面に沿って設けられていればよい。
【００８７】
〔まとめ〕
本発明の態様１に係るベゼル（ベゼル１１）は、表示装置（表示装置１）のバックライトシャーシ（バックライトシャーシ１７）の側面に取り付けられるベゼルであって、当該ベゼルの長手方向を法線方向とする断面がコの字状に形成されている、ことを特徴としている。
【００８８】
上記の構成によれば、上記バックライトシャーシに取り付けられる上記ベゼルは、当該ベゼルの長手方向を法線方向とする断面がコの字状に形成されている。このため、上記ベゼルは高い強度を有する。したがって、上記ベゼルは、強度の高い当該ベゼルが取り付けられたバックライトシャーシを備える上記表示装置の強度を高くすることができる。
【００８９】
また、上記ベゼルは、上述のように強度を高くすることができるため、その断面の各辺（つまり、コの字状の各辺）の長さを長くする必要がない。これにより、上記ベゼルの長手方向を法線方向とする断面の各辺の長さを短くすることができるため、上記ベゼルは、当該ベゼルの取り付けられたバックライトシャーシを備える上記表示装置の狭額縁化を図ることができる。
【００９０】
さらに、上記の構成によれば、上記ベゼルの断面がコの字状に形成されていることにより、上記バックライトシャーシに取り付けられる際に上記ベゼルと上記バックライトシャーシとの接する面が大きくなる。これにより、上記ベゼルは、上記表示装置における静電対策にも有効である。また、上記ベゼルの断面をコの字状に形成することにより、上記バックライトシャーシの側面に沿ってスライドさせるなど、上記バックライトシャーシに対して簡単に取り付けることができる。これにより、上記ベゼルは、上記バックライトシャーシに対して取り付けられる際の作業効率を向上させることもできる。
【００９１】
したがって、上記ベゼルは、高い作業性を保持しつつ、上記表示装置の強度を高く維持し、かつ、狭額縁化を図ることができる。
【００９２】
本発明の態様２に係るベゼルは、上記態様１において、上記バックライトシャーシの側面と嵌合するための嵌合部（嵌合穴１１１１、嵌合穴１１２１）を備えていてもよい。
【００９３】
上記の構成によれば、上記ベゼルは上記嵌合部を備えている。このため、上記嵌合部を嵌合させることによって、上記ベゼルを容易に上記バックライトシャーシに取り付けることができる。
【００９４】
本発明の態様３に係るベゼルにおける上記嵌合部は、上記態様２において、上記バックライトシャーシの側面の備える爪部（上側面爪部１７２、右側面爪部１７３、左側面爪部１７４）と嵌合するための嵌合用穴（嵌合穴１１１１、嵌合穴１１２１）であってもよい。
【００９５】
上記の構成によれば、上記嵌合用穴を上記バックライトシャーシの側面の備える爪部と嵌合させることにより、上記ベゼルをより容易に上記バックライトシャーシに取り付けることができる。
【００９６】
本発明の態様４に係るベゼルにおける上記嵌合部は、上記態様２において、上記バックライトシャーシの側面の備える嵌合用穴と嵌合するための爪部であってもよい。
【００９７】
上記の構成によれば、上記爪部を上記バックライトシャーシの側面の備える嵌合用穴と嵌合させることにより、上記ベゼルをより容易に上記バックライトシャーシに取り付けることができる。
【００９８】
本発明の態様５に係るベゼルにおける上記嵌合用穴および上記爪部は、上記態様３及び４において、上記ベゼルを上記バックライトシャーシの側面に沿ってスライドさせることにより嵌合してもよい。
【００９９】
上記の構成によれば、上記ベゼルは、上記バックライトシャーシの側面に沿ってスライドさせることにより、上記嵌合用穴と上記爪部とを嵌合させることができる。したがって、上記ベゼルは、上記バックライトシャーシへの取り付けをより容易に行うことができるため、上記ベゼルの上記バックライトシャーシへの取り付けの作業性を向上させることができる。
【０１００】
本発明の態様６に係るベゼルは、上記態様１から５において、上記バックライトシャーシの４つの側面の各々に取り付けられる４つのベゼル構成枠材（上側面ベゼル１１１、右側面ベゼル１１２、左側面ベゼル１１３、下側面ベゼル１１４）を備え、上記４つのベゼル構成枠材の各々の長手方向の両端部には、当該４つのベゼル構成枠材の各々を隣り合う他のベゼル構成枠材と共に１箇所で上記バックライトシャーシに固定するための共締用穴（共締用穴１１１２、共締用穴１１２２、共締用穴１１２３、共締用穴１１４１）が形成されていてもよい。
【０１０１】
上記の構成によれば、上記４つのベゼル構成枠材は、各々隣り合う他のベゼル構成枠材と共に上記バックライトシャーシに対して共締めされる。また、上述のように４つのベゼル構成枠材が各々隣り合う他のベゼル構成枠材と共に共締めされるため、共締めに必要な固定部材（例えば、ビスなど）は４つだけである。これにより、上記ベゼルを上記バックライトシャーシに取り付けるための固定部材の点数を減らすことができるため、上記ベゼルは、組立工数を削減することができ、作業効率をさらに向上させることができる。
【０１０２】
なお、上記ベゼルが上記嵌合部により上記バックライトシャーシに取り付けられている場合には、上記４つのベゼル構成枠材の共締めをより容易に行うことができる。
【０１０３】
本発明の態様７に係る上記ベゼルは、上記態様１から６において、上記バックライトシャーシの４つの側面の各々に取り付けられる４つのベゼル構成枠材を備え、上記４つのベゼル構成枠材のうち、３つのベゼル構成枠材について、上記断面がコの字状に形成されていてもよい。
【０１０４】
例えば、上記４つのベゼル構成枠材のうち、上記バックライトシャーシの側面であって上記表示装置が設置される設置面側の側面に取り付けられるベゼル構成枠材（下側面ベゼル１１４）以外のベゼル構成枠材（上側面ベゼル１１１、右側面ベゼル１１２、左側面ベゼル１１３、）について、上記断面がコの字状に形成されていてもよい。
【０１０５】
上記の構成によれば、上記４つのベゼル構成枠材のうち、３つのベゼル構成枠材について、上記断面がコの字状に形成されている。これにより、上記ベゼルは、高い作業性を維持しつつ、上記表示装置の強度を高く維持し、かつ、効果的に狭額縁化を図ることができる。
【０１０６】
本発明の態様８に係る表示装置は、上記態様１から７の何れかに記載のベゼルと、バックライトシャーシと、を備える表示装置であって、上記バックライトシャーシは、上記表示装置の表示面に平行に設けられる直下型バックライトを支持してもよい。
【０１０７】
上記の構成によれば、上記表示装置は、直下型バックライトを備える表示装置である。このような表示装置において強度（特に、額縁領域に沿った外枠の強度）を得るためには、従来技術のようにバックライトシャーシの外周の長さを長くする必要があり、狭額縁化を実現できなかった。しかし、上記の構成によれば、上記ベゼルがコの字状に形成されているため、上記表示装置が直下型バックライトを備える表示装置であっても、上記表示装置の強度を高く維持しつつ、狭額縁化を図ることができる。
【０１０８】
本発明の態様９に係る表示装置にける上記バックライトシャーシは、上記態様８において、上記表示装置の表示面に平行な主面（主面１７０１）であって上記表示面の背面側に設けられる主面と、上記主面の周囲に当該主面に平行に設けられる枠面であって上記主面よりも上記表示面側に設けられる枠面（枠面１７０３）と、上記主面と上記枠面とを繋ぐように設けられる法面（法面１７０２）であって上記主面の法線方向に対して傾斜した法面と、を備えており、上記側面（側面１７０４）は、上記主面に対して垂直な面であって上記枠面の端部から上記主面と反対側に伸びるように設けられた面であり、上記ベゼルは、上記側面及び上記枠面を覆うように上記側面に取り付けられてもよい。
【０１０９】
上記の構成によれば、上記バックライトシャーシの側面は、上記枠面の端部から上記主面と反対側に伸びるように設けられている。従って、上記表示装置は、上記バックライトシャーシの側面に取り付けるベゼルとして、上記断面がコの字状に形成された上記ベゼルを用いることができる。これにより、上記表示装置は、当該表示装置の強度を高く維持しつつ、狭額縁化を図ることができる。
【０１１０】
本発明の態様１０に係るテレビジョン受像機は、上記態様８又は９に記載の表示装置を備えていてもよい。
【０１１１】
上記の構成によれば、上記テレビジョン受像機は、上述の表示装置と同様の効果を奏することができる。
【０１１２】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０１１３】
本発明に係る表示装置は、例えば、テレビジョン受像機、カーナビゲーションシステム、ディスプレイ装置、携帯電話、及び、スマートフォンなどに好適に利用することができる。
【符号の説明】
【０１１４】
１        表示装置（テレビジョン受像機）
１０      フロントキャビネット
１１      ベゼル
１２      液晶パネル
１３      シート保持枠
１４      光学シート群
１５      反射シート
１７      バックライトシャーシ
１１１    上側面ベゼル（ベゼル、ベゼル構成枠材）
１１１１  嵌合穴（嵌合部、嵌合用穴）
１１１２  共締用穴
１１２    右側面ベゼル（ベゼル、ベゼル構成枠材）
１１２１  嵌合穴（嵌合部、嵌合用穴）
１１２２、１１２３  共締用穴
１１３    左側面ベゼル（ベゼル、ベゼル構成枠材）
１１４    下側面ベゼル（ベゼル、ベゼル構成枠材）
１１４１  共締用穴
１１５    ビス
１２１    ソース基板
１７０１  主面
１７０２  法面
１７０３  枠支持面（枠面）
１７０４  側面
１７２    上側面爪部（爪部）
１７３    右側面爪部（爪部）
１７４    左側面爪部（爪部）
【図１】
2016004214.tif 000003
【図２】
2016004214.tif 000004
【図３】
2016004214.tif 000005
【図４】
2016004214.tif 000006
【図５】
2016004214.tif 000007
【図６】
2016004214.tif 000008
【図７】
2016004214.tif 000009
【図８】
2016004214.tif 000010
【図９】
2016004214.tif 000011
【図１０】
2016004214.tif 000012
【図１１】
2016004214.tif 000013
【図１２】
2016004214.tif 000014
【図１３】
2016004214.tif 000015